(57)【要約】【課題】基幹業務プログラム等が作成するデータファイルを、容易且つ確実にバックアップすることを可能とするバックアッププログラムに関する。【解決手段】基幹業務プログラムが作成した、コンピュータ内にあるデータファイルの内容を参照し、バックアップ対象となるバックアップ対象データファイルの設定を行わせる対象設定手段と、設定されたバックアップ対象データファイルのバックアップを行うバックアップ手段、としてコンピュータを機能させる為のバックアッププログラムである。【選択図】  図１
2004199510.tif 000002
【特許請求の範囲】
【請求項１】
基幹業務プログラムが作成した、コンピュータ内にあるデータファイルの内容を参照し、バックアップ対象となるバックアップ対象データファイルの設定を行わせる対象設定手段と、
前記設定されたバックアップ対象データファイルのバックアップを行うバックアップ手段、
としてコンピュータを機能させる為のバックアッププログラム。
【請求項２】
前記対象設定手段は、
データファイルが前記コンピュータのどこに存在するかの問い合わせを、前記コンピュータに対して行い、
前記問い合わせ結果に基づいてデータファイルを抽出し、
前記抽出したデータファイルの内容を参照し、バックアップ担当者の識別可能な情報を抽出し、
前記抽出した識別可能な情報を画面に表示し、選択を行わせる
ことを特徴とする請求項１に記載のバックアッププログラム。
【請求項３】
前記バックアッププログラムは、
バックアップを実行する日時の設定を行わせる日時設定手段を有し、
前記バックアップ手段は、前記設定した日時が到来した場合に、前記設定されたバックアップ対象データファイルのバックアップを行う
ことを特徴とする請求項１又は請求項２に記載のバックアッププログラム。
【請求項４】
前記バックアップ手段は、
ネットワークを介してバックアップサーバに、前記バックアップ対象データファイルをバックアップする
ことを特徴とする請求項１から請求項３のいずれかに記載のバックアッププログラム。
【請求項５】
前記バックアッププログラムは、
前記バックアップしたデータファイルのうち、削除対象とするデータファイルの設定を行わせる削除手段を有しており、
前記削除手段は、
前記バックアップしたデータファイルが前記コンピュータ又は前記バックアップサーバのどこに存在するかの問い合わせを、前記コンピュータ又は前記バックアップサーバに対して行い、
前記問い合わせ結果に基づいて前記バックアップしたデータファイルを抽出し、前記抽出したデータファイルの内容を参照し、バックアップ担当者の識別可能な情報を抽出し、
前記抽出した識別可能な情報を画面に表示し、選択を行わせ、
前記選択したデータファイルの削除を行う
ことを特徴とする請求項１から請求項４のいずれかに記載のバックアッププログラム。
【請求項６】
前記識別可能な情報として、企業情報を含む
ことを特徴とする請求項２又は請求項５に記載のバックアッププログラム。
【請求項７】
前記基幹業務プログラムとして、
財務会計プログラム、給与計算プログラム、販売管理プログラム、仕入管理プログラム、在庫管理プログラム、税務申告プログラム、資産管理プログラム、原価管理プログラム、顧客管理プログラム、人事管理プログラム、エレクトロニック・バンキング・プログラムのいずれかを含む
ことを特徴とする請求項１から請求項６のいずれかに記載のバックアッププログラム。
【発明の詳細な説明】
【０００１】
【発明の属する技術分野】
本発明は、基幹業務プログラム等が作成するデータファイルを、容易且つ確実にバックアップすることを可能とするバックアッププログラムに関する。
【０００２】
【従来の技術】
企業内（企業には、株式会社や有限会社のみならず、その他の各種法人も含むものとする）に於いては、その業務遂行の為、財務会計プログラム、給与計算プログラム、販売管理プログラム、仕入管理プログラム等の、様々な基幹業務プログラムと呼ばれるものを使用している。
【０００３】
これらの基幹業務プログラムは、業務に於いて直接使用する頻度が多く、企業活動の様々な場面に於いて用いられており、企業に於ける財産であるとも言える。その為、そこで使用されるデータファイル（例えば財務会計データや顧客データ等）は、万が一の非常事態に備えてバックアップを取っておくことが通常である。
【０００４】
基幹業務プログラムの場合には、そのプログラム内に、類似するファイル名を有するデータファイルが多数存在しており、どのデータファイルをバックアップしたら良いかの判別をするのに、当該基幹業務プログラムに対する詳しい知識が必要とされることから、バックアップを取る場合には、コンピュータに詳しい専門家が行い、更に予めどのデータファイルをバックアップしておく必要があるのか、熟知している必要がある。
【０００５】
従ってコンピュータに詳しい者がいない中小企業等の場合には、特にこのようなバックアップ作業が困難であることから、既存のバックアッププログラムや下記特許文献１に示すようなデータバックアップ装置を用いるか、或いは全てのデータファイルのバックアップを取らざるを得ない。
【０００６】
【特許文献１】
特開平９−３３０２６１号公報
【０００７】
【発明が解決しようとする課題】
しかし上述したように、全てのデータファイルをバックアップすることは、非常に大量のデータファイルをバックアップすることを意味しており、バックアップに費やす時間やそれを復元する時間、更には不必要なデータファイルもバックアップすることから無駄な記憶領域も使用することとなる問題点がある。
【０００８】
又仮に既存のバックアッププログラムを用いてバックアップ作業を行ったとしても、基幹業務プログラムに必要なデータファイルを、バックアップを行う者（以下、バックアップ担当者）が的確に選択する必要がある。
【０００９】
従ってバックアップ担当者は、どのデータファイルをバックアップするのかを正確に記憶していなければならないが、基幹業務プログラムの多数のデータファイルの中から、それを逐一記憶することは事実上不可能であり、又その判別は基幹業務プログラムに精通している必要があることから、誰でもが使用できるものではない。
【００１０】
更に上記特許文献１に示したような場合では更新作業によって変化したデータファイルのみをバックアップすることから無駄な記憶領域は使用しないが、データファイル自体は変化していなくても、バックアップが必要なデータファイル（即ち更新作業等でデータファイルの変更はないが、そのデータファイルは保存しておく必要があるデータファイル等）については、バックアップすることが出来ない。従ってバックアップ時に於いて、バックアップが必要な全てのデータファイルをバックアップできていないこととなる。
【００１１】
一方でバックアップしたデータファイルは、一定の時期が経過するとデータファイルの内容自体が陳腐化し、不必要となる場合もある。そのような場合、いつまでもコンピュータやバックアップサーバに保存しておくことは、これらのコンピュータ資源を無駄に消費していることとなる。従ってバックアップ担当者は定期的又は不定期にこれらの見直し作業を行う必要があるが、従来、バックアップを行うときと同様に、データファイル名でしか選択が行えないので、どのデータファイルが不要なのかを、いちいちデータファイルを開いてその内容を視認しなければ確認できない問題点があった。
【００１２】
【課題を解決するための手段】
本発明者は上記問題点に鑑み、基幹業務プログラム等が作成するデータファイルを、誰でもが容易且つ確実にバックアップ可能なバックアッププログラムを発明した。
【００１３】
請求項１の発明は、
基幹業務プログラムが作成した、コンピュータ内にあるデータファイルの内容を参照し、バックアップ対象となるバックアップ対象データファイルの設定を行わせる対象設定手段と、前記設定されたバックアップ対象データファイルのバックアップを行うバックアップ手段、としてコンピュータを機能させる為のバックアッププログラムである。
【００１４】
請求項２の発明は、
前記対象設定手段は、データファイルが前記コンピュータのどこに存在するかの問い合わせを、前記コンピュータに対して行い、前記問い合わせ結果に基づいてデータファイルを抽出し、前記抽出したデータファイルの内容を参照し、バックアップ担当者の識別可能な情報を抽出し、前記抽出した識別可能な情報を画面に表示し、選択を行わせるバックアッププログラムである。
【００１５】
請求項１及び請求項２の発明によって、コンピュータの専門家でなくても、誰でもが、又初心者であったとしても、容易且つ正確に複数のデータファイルの中から適切なデータファイルを選択し、そのバックアップを行うことが可能となる。
【００１６】
従来のバックアッププログラムは、そのデータファイル名のみしか検索していない為、バックアップ担当者に対してデータファイル名しか表示できず、その中から適切なデータファイル名を選択することには、知識と経験が必要とされた。しかし上述の発明によって、データファイル名の内容を参照することで、そのデータファイルが有する企業情報等の、バックアップ担当者が識別可能な情報を抽出することが可能となり、これによって容易且つ正確にバックアップ対象となるバックアップ対象データファイルの選択を行うことが可能となる。
【００１７】
請求項３の発明は、
前記バックアッププログラムは、バックアップを実行する日時の設定を行わせる日時設定手段を有し、前記バックアップ手段は、前記設定した日時が到来した場合に、前記設定されたバックアップ対象データファイルのバックアップを行うバックアッププログラムである。
【００１８】
本発明によって、予め日時を設定しておけば、自動的にその日時が到来した場合にバックアップを行うことが可能となる。
【００１９】
請求項４の発明は、
前記バックアップ手段は、ネットワークを介してバックアップサーバに、前記バックアップ対象データファイルをバックアップするバックアッププログラムである。
【００２０】
本発明によって、バックアッププログラムを有しているコンピュータ端末以外のコンピュータ端末（バックアップサーバ）に、ネットワークを介してバックアップ対象データファイルをバックアップすることが可能となる。これによって、遠隔地等に於けるバックアップが可能となる。
【００２１】
請求項５の発明は、
前記バックアッププログラムは、前記バックアップしたデータファイルのうち、削除対象とするデータファイルの設定を行わせる削除手段を有しており、前記削除手段は、前記バックアップしたデータファイルが前記コンピュータ又は前記バックアップサーバのどこに存在するかの問い合わせを、前記コンピュータ又は前記バックアップサーバに対して行い、前記問い合わせ結果に基づいて前記バックアップしたデータファイルを抽出し、前記抽出したデータファイルの内容を参照し、バックアップ担当者の識別可能な情報を抽出し、前記抽出した識別可能な情報を画面に表示し、選択を行わせ、前記選択したデータファイルの削除を行うバックアッププログラムである。
【００２２】
本発明によって、バックアップ対象の設定を行う場合と同様に、削除対象となるデータファイルの内容を視認せずとも、その選択を行う際に企業情報等の、データファイルを識別可能な情報を表示することによって、バックアップ対象者は容易且つ正確に削除対象の選択が可能となる。
【００２３】
請求項６の発明は、
前記識別可能な情報として、企業情報を含むバックアッププログラムである。
【００２４】
識別可能な情報は、バックアップ担当者がそのデータファイルの内容がどのようなものであるかを識別できる情報であれば、如何なるものであっても良いが、企業名やその企業に関する情報であることが好適である。
【００２５】
請求項７の発明は、
前記基幹業務プログラムとして、財務会計プログラム、給与計算プログラム、販売管理プログラム、仕入管理プログラム、在庫管理プログラム、税務申告プログラム、資産管理プログラム、原価管理プログラム、顧客管理プログラム、人事管理プログラム、エレクトロニック・バンキング・プログラムのいずれかを含むバックアッププログラムである。
【００２６】
バックアッププログラムが保存するデータファイルは、如何なるものであっても良いが、本発明の効果が顕著に現出するのが、財務会計プログラム、給与計算プログラム、販売管理プログラム、仕入管理プログラム、在庫管理プログラム、税務申告プログラム、資産管理プログラム、原価管理プログラム、顧客管理プログラム、人事管理プログラム、エレクトロニック・バンキング・プログラム等の基幹業務プログラムである。即ち、基幹業務プログラムには多数のデータファイルが存在しており、その中からバックアップ対象として適切なデータファイルを選択することは、著しく困難であるからである。従って本発明によって、基幹業務プログラムで作成したデータファイルのバックアップを行うことが、コンピュータや基幹業務プログラムに精通している者でなくても、誰でもが、初心者であったとしても行うことが可能となる。
【００２７】
【発明の実施の形態】
本発明のバックアッププログラム１のプロセスの流れの一例を、図１のシステム構成図を用いて詳細に説明する。以下の実施例に於いては、バックアッププログラム１は、基幹業務プログラム２を具備しているコンピュータ９と同一のコンピュータに具備されている場合を説明するが、ネットワーク８を介して他のコンピュータからアクセス可能な状態であっても構わない。
【００２８】
バックアッププログラム１は、対象設定手段３と日時設定手段４とバックアップ手段５とを有している。
【００２９】
対象設定手段３は、バックアップ対象とする基幹業務プログラム２で作成された、バックアップ対象となりうるデータファイル（以下、バックアップ対象データファイル６）を読み込み、バックアップ対象の設定を、バックアップ担当者に行わせる手段である。
【００３０】
即ち対象設定手段３は、基幹業務プログラム２を有するコンピュータ９に対して、当該基幹業務プログラム２で作成されたデータファイルがどこに存在するかを問い合わせ、その問い合わせ結果に基づいて当該データファイルを抽出し（抽出には、データファイルを選択することも含む。以下同様）、抽出したデータファイルの内容を参照することで、そこから企業情報等の、バックアップ担当者が識別可能な情報を取得する。取得した情報を対象設定手段３が画面に表示することで、バックアップ担当者に容易にバックアップ対象の選択を行わせる手段である。この場合の画面を図３に示す。
【００３１】
例えば基幹業務プログラム２が財務会計プログラムである場合には、財務会計プログラムを有するコンピュータ９に対して、バックアッププログラム１の対象設定手段３がバックアップ対象データファイル６がどこに存在するかを問い合わせる。この問い合わせの際には、特定のフォルダ名を有するものを検索する、特定のデータファイル名を有するものを検索する、特定の拡張子を有するものを検索する、コンピュータ９のレジストリから判別する等であっても良い。
【００３２】
コンピュータ９から得た問い合わせ結果に基づいて、該当するデータファイルの一覧（例えばデータファイル名にｚ２ｌｄｔを有するデータファイルの一覧等）を抽出し、対象設定手段３が各データファイルの内容を参照することによって、企業情報等の情報（例えばＡＢＣ株式会社第３４決算期等）を取得し、それを画面に表示する。データファイルには企業情報（例えば企業名や決算期等）等が含まれているので、単なる英数字等の、バックアップ担当者が識別不可能な無機質なデータファイル名の代わりに、企業情報等の、データファイルを識別可能な情報を表示することで、バックアップ担当者は容易且つ正確にバックアップ対象の選択が可能となる。
【００３３】
日時設定手段４は、対象設定手段３で設定したバックアップ対象を、いつバックアップするのかの設定を、バックアップ担当者に行わせる手段である。
【００３４】
バックアップ手段５は、日時設定手段４に於いて設定された日時が到来した場合に（勿論手動で随時行えても良い）、対象設定手段３で設定されたバックアップ対象データファイル６のバックアップを行う手段である。この際に、バックアップ手段５はバックアッププログラム１を具備するコンピュータ９のローカルに直接保存していても良いし、ネットワーク８を介して他のコンピュータに直接保存しても良い。従ってバックアップ手段５は、バックアップ対象データファイル６のバックアップ先のコンピュータを指定する機能を有していても良い。
【００３５】
ネットワーク８は、インターネットのようなオープンネットワークであっても良いし、ＬＡＮ等のクローズドネットワークであっても良いし、それらの組合せであるイントラネット等であっても良い。又有線、無線の別も問わない。
【００３６】
バックアップ対象データファイル６は、バックアップ対象となるデータファイルであって、基幹業務プログラム２がその業務処理にあたり、作成するデータファイルである。
【００３７】
次に本発明のプロセスの流れの一例を図２のフローチャート図と図１のシステム構成図とを用いて詳細に説明する。以下の説明では、コンピュータ９内の基幹業務プログラム２は、財務会計プログラムであり、バックアップ対象データファイル６として、多数の企業の財務会計データファイルから構成されているものとするが、基幹業務プログラム２が他の基幹業務プログラム、例えば給与計算プログラム、販売管理プログラム、仕入管理プログラム、在庫管理プログラム、税務申告プログラム、資産管理プログラム、原価管理プログラム、顧客管理プログラム、人事管理プログラム、エレクトロニック・バンキング・プログラム等であっても良いし、バックアップ対象データファイル６がそれらによって作成されるデータファイルであっても良い。
【００３８】
バックアップ担当者は、当該バックアッププログラム１を起動し、バックアップ対象とする基幹業務プログラム２を選択する。この際に当該基幹業務プログラム２が有するバックアップ対象データファイル６を読み込み、バックアップ対象の設定を行う。
【００３９】
即ち対象設定手段３が、基幹業務プログラム２を有するコンピュータ９に対して、当該基幹業務プログラム２のデータファイルがどこに存在するかの問い合わせを行い（Ｓ１００）、その問い合わせ結果に基づいて当該データファイルを抽出する（Ｓ１１０）。
【００４０】
Ｓ１１０で抽出したデータファイルの内容を対象設定手段３が参照することで、そこから企業情報等の、バックアップ担当者が識別可能な情報を取得する（Ｓ１２０）。取得した情報を対象設定手段３が画面に表示することで、バックアップ担当者に容易にバックアップ対象の選択を行わせる（Ｓ１３０）。この場合の画面の一例が図３である。
【００４１】
例えば基幹業務プログラム２が財務会計プログラムである場合には、財務会計プログラムを有するコンピュータ９に対して、バックアッププログラム１の対象設定手段３が、バックアップ対象データファイル６（この場合は、各企業の財務会計のデータファイル）がどこに存在するかを問い合わせる。この問い合わせの際には、特定のフォルダ名を有するものを検索する、特定のデータファイル名を有するものを検索する、特定の拡張子を有するものを検索する、コンピュータ９のレジストリから判別する等であっても良い。
【００４２】
コンピュータ９から得た問い合わせ結果に基づいて、該当するデータファイルの一覧（例えばデータファイル名にｚ２ｌｄｔを有するデータファイルの一覧等）を抽出し、対象設定手段３が各データファイルから、企業情報等の情報（例えばＡＢＣ株式会社第３４決算期等）を取得し、それを表示する。データファイルには企業情報（例えば企業名や決算期等）等が含まれているので、単なる英数字等のバックアップ担当者が識別不可能な無機質なデータファイル名の代わりに、企業情報等の、データファイルを識別可能な情報を表示することで、バックアップ担当者は容易且つ正確にバックアップ対象の選択が可能となる。この際に選択された情報は、対象設定手段３が、データファイル名をバックアップ対象ファイルとして記憶しておく。
【００４３】
Ｓ１３０に於いてバックアップ対象データファイル６の選択後、例えば図３に示した画面の「スケジュール選択」をバックアップ担当者が選択することで、日時設定手段４が図４に示す日時の選択画面を表示し、当該バックアップ対象データファイル６のバックアップを、いつ行うかの設定をする（Ｓ１４０）。Ｓ１４０で設定された日時を、日時設定手段４が保存する。図４に示した画面は、２００２年１１月２２日午前３時００分にバックアップの設定をした場合の例である。
【００４４】
日時設定手段４がその日時の監視を行い、Ｓ１４０に於いて設定した日時が到来するまで（Ｓ１５０）、バックアッププログラム１は待機をし（Ｓ１６０）、日時が到来した場合には（図４の例の場合では２００２年１１月２２日午前３時００分が到来した場合）、バックアップ手段５が基幹業務プログラム２のバックアップ対象データファイル６のバックアップを行う（Ｓ１７０）。即ちＳ１３０でバックアップ担当者が選択し、対象設定手段３が記憶したデータファイル名を有するデータファイルを、バックアッププログラム１がバックアップすることとなる。
【００４５】
バックアップ手段５は、バックアップの際にコンピュータ９が具備するローカルの記憶媒体、例えばハードディスクや光ディスク、光磁気ディスク、データテープ等、にバックアップしても良いし、直接ネットワーク８を介してバックアップサーバ７上に保存させても良い。ここでバックアップサーバ７とは、コンピュータ９とネットワーク８を介してデータの送受信が可能なコンピュータであって、コンピュータ９とは別の場所（好適には遠隔地）に所在しているコンピュータである。別の場所、特に遠隔地にバックアップサーバ７を設けることによって、例えばコンピュータ９が地震や火災等の天変地異があり、コンピュータ９のハードウェア自体が破壊した場合であっても、別の場所に所在することによって、罹災を免れる。尚、バックアップサーバとの表現には、サーバのみならず、通常のコンピュータ端末等も含まれるものとする。
【００４６】
以上のようなプロセスを経ることによって、従来のように、バックアップ担当者がデータファイル名を逐一記憶しておかなくても、誰でもが容易且つ正確に、基幹業務プログラム２等が作成するデータファイルのバックアップが可能となる。
【００４７】
従来のバックアッププログラム１に於ける、バックアップ対象データファイル６の選択画面を図５に示す。従来の場合は、単にフォルダの構造が画面左側にツリー構造で示され、そのうちの一のフォルダ内に存在するデータファイルの一覧が画面右側に示される。この画面左側又は右側からフォルダやデータファイルを、バックアップ担当者が選択することでバックアップが行われるが、図５に示したように、バックアッププログラム１が本発明のようにデータファイルの中身を直接参照しているわけではないので、単に無機質なデータファイル名を表示できるに過ぎず、上述のようにバックアップ担当者がデータファイル名を逐一記憶する必要性がある。
【００４８】
しかし本発明の図３に示したように、データファイル名をバックアッププログラム１が直接参照することによって、データファイルがどのようなデータを所有しているのかが判別するので、それを表示することで、バックアップ担当者が無機質なデータファイル名を逐一記憶していなくても誰でもが、又初心者であったとしても容易且つ正確なバックアップが可能となる。
【００４９】
更に、上述のバックアッププログラム１のシステム構成に加えて、図６に示すようなバックアッププログラム１としても良い。即ちバックアッププログラム１は、図１に示した各手段に加え、バックアップ手段５でバックアップしたデータファイルの削除を行う削除手段１０を更に有する。
【００５０】
削除手段１０は、バックアップ手段５がバックアップしたデータファイルを読み込み、削除対象の設定を、バックアップ担当者に行わせる手段である。
【００５１】
即ち削除手段１０は、バックアップしたデータファイルを保存しているコンピュータ９又はバックアップサーバ７に、バックアップしたデータファイルがどこに存在するかを問い合わせ、その問い合わせ結果に基づいて当該バックアップしたデータファイルを抽出し、抽出したデータファイルの内容を参照することで、そこから企業情報等の、バックアップ担当者が識別可能な情報を取得する。取得した情報を削除手段１０が画面に表示することで、バックアップ担当者に容易に削除対象の選択を行わせる手段である。この場合の画面を図７に示す。
【００５２】
例えば、バックアップしたデータファイルがコンピュータ９に保存されている場合には、削除手段１０がコンピュータ９に対して、バックアップしたデータファイルがどこに存在するかを問い合わせ、バックアップしたデータファイルがバックアップサーバ７に保存されている場合には、削除手段１０がバックアップサーバ７に対して、バックアップしたデータファイルがどこに存在するかを問い合わせる。この問い合わせの際には、特定のフォルダ名を有するものを検索する、特定のデータファイル名を有するものを検索する、特定の拡張子を有するものを検索する、コンピュータ９又はバックアップサーバ７のレジストリから判別する等であっても良い。
【００５３】
コンピュータ９又はバックアップサーバ７から得た問い合わせ結果に基づいて、該当するデータファイルの一覧（例えばデータファイル名にｚ２ｌｄｔを有するデータファイルの一覧等）を抽出し、削除手段１０が各データファイルの内容を参照することによって、企業情報等の情報（例えば株式会社ＤＥＦ第１０決算期等）を取得し、それを画面に表示する。データファイルには企業情報（例えば企業名や決算期等）等が含まれているので、単なる英数字等の、バックアップ担当者が識別不可能な無機質なデータファイル名の代わりに、企業情報等の、データファイルを識別可能な情報を表示することで、バックアップ担当者は容易且つ正確に削除対象の選択が可能となる。
【００５４】
又この際に日時設定手段４に於いて、図４に示したような画面から、削除をいつ実行するかの設定を行えても良い。
【００５５】
このようにして設定されたデータファイルを、削除手段１０は、日時設定手段４に於いて設定した日時が到来後、又は設定後、コンピュータ９又はバックアップサーバ７から削除する。
【００５６】
以上のようなシステム構成とすることによって、バックアップ対象の設定を行う場合と同様に、削除対象となるデータファイルの内容を視認せずとも、その選択を行う際に企業情報等の、データファイルを識別可能な情報を表示することによって、バックアップ対象者は容易且つ正確に削除対象の選択が可能となる。
【００５７】
本発明に於ける各手段、データファイルは、その機能が論理的に区別されているのみであって、物理上あるいは事実上は同一の領域を為していても良い。又データファイルの代わりにデータベースであっても良いことは言うまでもなく、データファイルとの記載にはデータベースをも含んでいる。
【００５８】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【００５９】
この場合、記憶媒体から読み出されたプログラム自体が前記した実施態様の機能を実現することとなり、そのプログラムを記憶した記憶媒体は本発明を当然のことながら構成することになる。
【００６０】
プログラムを供給する為の記憶媒体としては、例えば磁気ディスク、ハードディスク、光ディスク、光磁気ディスク、磁気テープ、不揮発性のメモリカード等を使用することができる。
【００６１】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【００６２】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【００６３】
【発明の効果】
本発明によって、データファイル名をバックアッププログラムが直接参照することによって、データファイルがどのようなデータを所有しているのかが判別するので、それを表示することで、バックアップ担当者が無機質なデータファイル名を逐一記憶していなくても誰でもが、又初心者であったとしても容易且つ正確なバックアップが可能となる。
【図面の簡単な説明】
【図１】本発明のシステム構成の一例を示すシステム構成図である。
【図２】本発明のプロセスの流れの一例を示すフローチャート図である。
【図３】本発明に於いてバックアップ対象データファイルを選択する画面の一例である。
【図４】本発明に於いてバックアップの日時の設定を行う画面の一例である。
【図５】従来のバックアップ対象データファイルを選択する画面の一例である。
【図６】本発明のシステム構成の他の一例を示すシステム構成図である。
【図７】削除対象を選択する画面の一例である。
【符号の説明】
１：バックアッププログラム
２：基幹業務プログラム
３：対象設定手段
４：日時設定手段
５：バックアップ手段
６：バックアップ対象データファイル
７：バックアップサーバ
８：ネットワーク
９：コンピュータ
１０：削除手段
【図１】
2004199510.tif 000003
【図２】
2004199510.tif 000004
【図３】
2004199510.tif 000005
【図４】
2004199510.tif 000006
【図５】
2004199510.tif 000007
【図６】
2004199510.tif 000008
【図７】
2004199510.tif 000009